(57)【要約】【課題】まな板、お玉、菜箸などの比較的長尺の調理器具などを起立状態のまま容易に出し入れおよび収容することができ、洗浄不良も生じない食器洗い機を提供する。【解決手段】食器洗い機１は、正面開口部３を有する箱形の洗浄槽２内の下段部分および上段部分に、食器類などを積載するための食器カゴ４および食器カゴ５，６が配置されている。下段の食器カゴ４は洗浄槽２の左右内側面に設けられた一対の階段状の支持部７上に奥行き方向Ｄにスライド可能に載置され、上段の２個の食器カゴ５，６は、左右水平方向に分散して配置されている。食器カゴ５，６は、洗浄槽２の左右内側面の支持部９，１０と、天井面の支持レール１１とによりそれぞれ奥行き方向Ｄにスライド可能に保持されており、正面開口部３から互いに独立して引き出し状に出し入れすることができる。【選択図】        図１
2004290597.tif 000002
【特許請求の範囲】
【請求項１】
正面開口部を経由して食器カゴを出し入れ可能に収容する洗浄槽を備えた食器洗い機において、前記洗浄槽内の上段に、互いに独立して出し入れ可能な複数の食器カゴを略水平方向に分散配置したことを特徴とする食器洗い機。
【請求項２】
前記食器カゴを前記洗浄槽の奥行き方向に移動可能に保持するための複数の保持手段を前記洗浄槽の内側面、天井面の少なくとも一方に設けた請求項１記載の食器洗い機。
【請求項３】
前記正面開口部を起立倒伏動作によって開閉するドアを設け、前記ドアを開いて前記洗浄槽の正面開口部から前記食器カゴを引き出したとき、倒伏状態にある前記ドアと当接して前記食器カゴの姿勢を保持するための姿勢保持部材を前記食器カゴに設けた請求項１または２記載の食器洗い機。
【請求項４】
前記ドアを開いて前記洗浄槽から引き出した前記食器カゴを倒伏状態にある前記ドアに沿って一定方向へ誘導するためのガイド部材を前記ドアに設けた請求項３記載の食器洗い機。
【発明の詳細な説明】
【０００１】
【発明の属する技術分野】
本発明は、使用後の食器類や調理器具などを洗浄する機能を有する食器洗い機に関する。
【０００２】
【従来の技術】
従来の食器洗い機は、食器類などを積載するための食器カゴが洗浄槽の内部に上下２段に配置され、それぞれの食器カゴの下側に配置された洗浄ノズルから上方に向かって洗浄水を噴出させることによって食器類の洗浄を行うようになっている。
【０００３】
一般家庭において使用されている食器類や調理器具などのサイズや形状は多種多様であるため、これらの食器類などを食器洗い機で洗浄する場合に、食器類の配置状態を考慮せずに食器カゴに積載すると、重なり合った部分などに洗浄不良が生じたり、乾燥不良が生じたりすることがあった。そこで、サイズや形状の異なる食器類であっても容易に配置することができ、洗浄不良などの発生を防止することのできる食器カゴを備えた食器洗い機が開発されている（例えば、特許文献１参照。）。
【０００４】
特許文献１に記載された食器洗い機においては、食器カゴが、枠体と、この枠体に着脱可能な複数の専用食器収納ケースとに分けられ、食器類のサイズや形状によりこれらの専用食器収納ケースを選択するようになっている。
【０００５】
【特許文献１】
特開平０９−２８５４３５号公報（第２−３頁、第３図）
【０００６】
【発明が解決しようとする課題】
従来の食器洗い機は、一般に、上段に配置された食器カゴなどによって洗浄槽内が上下２つの領域に区画されているため、まな板、お玉、菜箸などの比較的長尺の調理器具などを起立状態で収容することができない。このため、まな板などを洗浄する場合には、水平状態に倒伏させて収容カゴに積載しているのが実状である。
【０００７】
ところが、まな板などを水平状態にして収容カゴに積載した場合、これらは水平投影面積が大であるため、洗浄ノズルから噴出する洗浄水が当たらない領域が生じたり、洗浄槽内での洗浄水の拡散、循環を妨げたりすることがあり、洗浄不良の原因となることがある。
【０００８】
一方、特許文献１に記載の食器洗い機の場合、食器カゴを構成する枠体から専用食器収納ケースを全て外すことにより、フライパンやまな板などの大形の物も洗浄することができるようになっている。しかしながら、実際にフライパンやまな板など食器収納槽内に出し入れする場合、専用収納ケースを全て取り外したとしても、その後に残置されている枠体が邪魔になるため、スムーズに出し入れすることができず、使い勝手が悪い。
【０００９】
本発明が解決しようとする課題は、まな板、お玉、菜箸などの比較的長尺の調理器具などを起立状態のまま容易に出し入れおよび収容することができ、洗浄不良も生じない食器洗い機を提供することにある。
【００１０】
【課題を解決するための手段】
本発明の食器洗い機は、正面開口部を経由して食器カゴを出し入れ可能に収容する洗浄槽を備えた食器洗い機において、洗浄槽内の上段に、互いに独立して出し入れ可能な複数の食器カゴを略水平方向に分散配置したことを特徴とする。このような構成とすることにより、洗浄槽の上段に略水平方向に分散配置されたいずれかの食器カゴを取り出せば、洗浄槽内に、当該食器カゴがあった場所を含めて天地方向に連続した空間が形成される。
【００１１】
したがって、洗浄槽内の上段に配置される食器カゴの底面より高く洗浄槽の天井方向へ突出する物体を洗浄槽の正面開口部から出し入れ可能に収容することが可能となる。すなわち、この空間内へ、まな板、お玉、菜箸などの比較的長尺の調理器具などを起立状態のまま容易に出し入れおよび収容することができるようになる。また、この空間内に収容されたまな板などは、洗浄中も起立状態に保たれるため、洗浄槽内に噴出される洗浄水の拡散、循環などを妨げることがなく、洗浄不良も生じない。また、洗浄槽内から取り出した食器カゴを除く残余の食器カゴには、通常通り、食器類などを積載することができるため、本来の洗浄機能が低下することもない。
【００１２】
なお、複数の食器カゴを洗浄槽内に略水平方向に配置する場合、洗浄槽内の左右方向（幅方向）に分散配置することが望ましいが、洗浄槽内の前後方向（奥行き方向）に分散配置することも可能である。いずれの配置であっても、少なくとも一つの食器カゴを洗浄槽から取り出すことによって前述と同じ効果を得ることができる。
【００１３】
複数の食器カゴを略水平方向に分散配置する場合、各食器カゴの幅（左右方向のサイズ）は、洗浄槽の左右内側面間の距離より小さくならざるを得ないため、食器カゴの左右部分を洗浄槽の左右両側面に同時に係合させて保持することは不可能であり、洗浄槽内で食器カゴの左右部分の一方のみを保持しただけでは不安定である。そこで、前記食器カゴを洗浄槽の奥行き方向に移動可能に保持するための複数の保持手段を洗浄槽の内側面、天井面の少なくとも一方に設けることが望ましい。
【００１４】
このような複数の保持手段を設ければ、食器カゴの幅に左右されることなく食器カゴを安定保持することができ、出し入れ性も向上する。なお、この保持手段は洗浄槽の内側面あるいは天井面のみに設けても良いが、各々の食器カゴに対する保持手段を洗浄槽の内側面および天井面の両方に設ければ保持中の安定性が向上する。また、一つの食器カゴに対して複数の保持手段を内側面または天井面に設けることによっても保持中の安定性を向上させることができる。
【００１５】
一方、洗浄槽の正面開口部を起立倒伏動作によって開閉するドアを設け、このドアを開いて洗浄槽の正面開口部から食器カゴを引き出したとき、倒伏状態にあるドアと当接して食器カゴの下降を阻止するための姿勢保持部材を食器カゴに設けた構成とすることもできる。このような構成とすれば、食器カゴを洗浄槽から引き出す過程において、当該食器カゴが急激に下降するような事態が発生しなくなるため、食器カゴを引き出す際の食器類の損傷を防止することができる。
【００１６】
前述したように、複数の食器カゴを略水平方向に分散配置する場合、各食器カゴの幅（左右方向のサイズ）は、洗浄槽の左右内側面間の距離より小さくならざるを得ないため、ドアを開いて洗浄槽から引き出した食器カゴが倒伏状態のドア上に載ったとき、左右方向などへ勝手に移動し、積載された食器類が衝撃を受けて損傷するおそれがある。そこで、ドアを開いて洗浄槽から引き出した食器カゴを倒伏状態にある前記ドアに沿って一定方向へ誘導するためのガイド部材をドアに設けた構成とすることが望ましい。
【００１７】
このようなガイド部材を設ければ、ドア上に載った食器カゴが予期せぬ方向へ移動することがなくなるため、洗浄槽に対する出し入れ操作性が向上するとともに、積載された食器類の損傷を防止することができるようになる。なお、このようなガイド部材としては、ドア上に載った食器カゴを洗浄槽の奥行き方向のみへ誘導するガイドレールなどが好適である。
【００１８】
【発明の実施の形態】
図１は本発明の第１実施形態である食器洗い機をドアなし状態で示す正面図であり、図２は図１に示す食器洗い機の部分斜視図であり、図３は図１に示す食器洗い機の一部切欠側面図であり、図４は図３に示す食器洗い機を構成する上部ドアの斜視図である。
【００１９】
図１，図２に示すように、本実施形態の食器洗い機１は、正面開口部３を有する箱形の洗浄槽２内の下段部分および上段部分に、洗浄すべき食器類などを積載するための食器カゴ４および食器カゴ５，６が配置されている。食器カゴ４，５，６に食器類を積載して洗浄槽２内に収容することにより、従来の食器洗い機と同様に洗浄することができる。
【００２０】
洗浄槽２内の下段に配置された食器カゴ４は洗浄槽２の左右内側面に設けられた一対の階段状の支持部７上に、洗浄槽２の奥行き方向Ｄにスライド可能に載置されており、正面開口部３から引き出し状に出し入れ可能である。
【００２１】
洗浄槽２の上段に配置された２個の食器カゴ５，６は、左右水平方向に分散して配置されている。これらの食器カゴ５，６は、洗浄槽２の左右内側面に設けられた棚状の支持部９，１０および洗浄槽２の天井面に設けられた断面逆Ｔ字状の支持レール１１によってそれぞれ洗浄槽２の奥行き方向Ｄにスライド可能に保持されており、正面開口部３から互いに独立して引き出し状に出し入れすることができる。
【００２２】
ここで、図２に示すように洗浄槽２の上段に水平方向に分散配置された一方の食器カゴ５（または食器カゴ６）を取り出せば、洗浄槽２内に、食器カゴ５（または食器カゴ６）があった場所を含めて天地方向に連続した空間が形成される。したがって、この空間内へ、まな板１２など比較的長尺の調理器具などを起立状態のまま容易に出し入れおよび収容することができる。
【００２３】
また、この空間内に収容されたまな板１２などは、洗浄中も起立状態に保たれるため、洗浄槽２内に噴出される洗浄水の拡散、循環などを妨げることがなく、洗浄不良も生じない。さらに、洗浄槽２内から取り出した食器カゴ５を除く残余の食器カゴ６には、通常通り、食器類などを積載することができるため、食器洗い機１の本来の洗浄機能が低下することもない。
【００２４】
このように、食器カゴ５，６のいずれかを取り出すことにより、洗浄槽２内の上段に配置される食器カゴ５，６の底面より高く洗浄槽２の天井方向へ突出する物体を洗浄槽２の正面開口部３から出し入れ可能に収容することが可能となる。したがって、従来の食器洗い機では洗浄槽内への収容が困難であったまな板１２、お玉、菜箸なども容易に収容して洗浄することができ、便利である。
【００２５】
また、前述したように、食器カゴ５，６はそれぞれ、洗浄槽２の内側面に設けられた支持部９，１０および洗浄槽の天井面に設けられた支持レール１１によって洗浄槽２の奥行き方向Ｄにスライド可能に保持されているため、保持中の安定性が高く、出し入れ性も良好である。
【００２６】
一方、食器洗い機１においては、図３に示すように、洗浄槽２の正面開口部３の食器カゴ４、食器カゴ５，６と対応する高さ位置に、正面開口部３を起立倒伏動作によって開閉する下部ドア１３、上部ドア１４をそれぞれ設けている。そして、それぞれの食器カゴ５，６の底面の洗浄槽２の中央側の側縁に、スキー板形状の姿勢保持部材１５を設けている。また、食器カゴ５，６が洗浄槽２内に保持されているとき、姿勢保持部材１５の底面１５ａの位置は、倒伏状態にある上部ドア１４の内面１４ａより低くなるように設定されている。
【００２７】
したがって、上部ドア１４を開いて洗浄槽２の正面開口部３から食器カゴ５，６を引き出したとき、姿勢保持部材１５の底面１５ａが、倒伏状態にある上部ドア１４の内面１４ａと当接して食器カゴ５，６の下降を阻止することとなる。このため、食器カゴ５，６を洗浄槽２から引き出す過程において、当該食器カゴ５，６が急激に下降するようなことがなく、食器カゴ５，６を引き出す際の食器類の損傷を防止することができる。
【００２８】
特に、本実施形態では、洗浄槽２内に保持された食器カゴ５，６の姿勢保持部材１５の底面１５ａは、倒伏状態にある上部ドア１４の内面１４ａより低い位置にあるため、食器カゴ５，６を引き出したとき、上部ドア１４上に持ち上げられるような状態となる。したがって、食器カゴ５，６が支持部材９，１０および支持レール１１から離脱する際に急激に下降することがなく、食器カゴ５，６に積載された食器類を保護する機能に優れている。
【００２９】
また、図４に示すように、上部ドア１４の内面の中央部分には、上部ドア１４を倒伏状態にしたとき、洗浄槽２の奥行き方向Ｄと平行をなすリブ形状のガイド部材１４ｂを設けている。したがって、図３に示すように、上部ドア１４を倒伏状態にして洗浄槽２から食器カゴ５，６を引き出すとき、上部ドア１４上に載った食器カゴ５，６はガイド部材１４ｂに沿って奥行き方向Ｄと平行に移動する。このため、上部ドア１４上に載った食器カゴ５，６が予期せぬ方向へ移動することがなく、洗浄槽２に対する出し入れ操作性が良好であるとともに、積載された食器類の損傷を防止することができる。
【００３０】
次に、図５〜図８を参照して、本発明の第２〜第４実施形態である食器洗い機２０，３０，４０について説明する。
【００３１】
図５に示す食器洗い機２０においては、洗浄槽２５の上段に略水平方向に分散配置された２つの食器カゴ２１，２２を保持する手段として、洗浄槽２５の内側面の上端付近に棚状の支持部２３，２４を設け、洗浄槽２５の天井面の中央付近に断面逆Ｔ字形状の支持レール１１を設けている。それぞれの食器カゴ２１，２２は、支持部２３，２４および支持レール１１によって、洗浄槽２５の奥行き方向Ｄにスライド可能に支持されている。
【００３２】
食器カゴ２１，２２の少なくとも一方を洗浄槽２５から取り出すことによって、洗浄槽２５内に天地方向に連続した空間が形成されるため、まな板などの比較的長尺の調理器具を容易に収容して、洗浄することが可能である。特に、本実施形態では、洗浄槽２５内において食器カゴ２１，２２を吊り下げ状態に支持しているため、前述した食器洗い機１における洗浄槽２の左右内側面の棚状の支持部９，１０に相当する部材を設ける必要がない。したがって、食器カゴ２１，２２のいずれかを取り外したとき、洗浄槽２５の左右内側面には突起物が存在せず、長尺の調理器具などを出し入れする際に内側面に調理器具が引っ掛かるようなことがない。その他の機能、効果については食器洗い機１と同様である。
【００３３】
次に、図６に示す食器洗い機３０においては、洗浄槽３５の上段に略水平方向に分散配置された食器カゴ３１を洗浄槽２の奥行き方向Ｄにスライド可能に保持する手段として、洗浄槽３５の内側面に、棚状の支持部３２と、断面Ｌ字形状の支持レール３３とを設けている。このように、支持部３２および支持レール３３により食器カゴ３１を洗浄槽３５の内側面部分のみで保持する構造としたことにより、食器カゴ３１とは左右方向の寸法が異なる他の食器カゴの設置も可能となるため、収容する食器類の種類や必要とする収容空間の大きさを色々と変えることができる。その他の機能、効果については食器洗い機１と同様である。
【００３４】
一方、図７，図８に示す食器洗い機４０においては、洗浄槽４５の左右内側面の上段部分に一対の棚状の保持部４１を設け、これらの保持部４１上に、２つの食器カゴ４２，４３が着脱可能に装着された枠体４４が洗浄槽４５の奥行き方向Ｄにスライド可能に載置されている。これによって、食器カゴ４２，４３は左右水平方向に分散配置された状態となり、図８に示すように、それぞれの食器カゴ４２，４３は、枠体４４に対して奥行き方向Ｄに移動させることによって互いに独立して出し入れ可能である。
【００３５】
いずれかの食器カゴ４２，４３を枠体４４から離脱させて洗浄槽３５から取り出すことにより、洗浄槽３５内に天地方向に連続した空間を形成することができるため、前述したように、まな板、お玉、菜箸などの比較的長尺の調理器具などを起立状態のまま容易に出し入れおよび収容することができ、洗浄不良も生じない。
【００３６】
特に、食器洗い機４０においては、食器カゴ４２，４３を互いに独立して洗浄槽４５から取り出す手段として、食器カゴ４２，４３を枠体４４に着脱する機構を採用している。このため、洗浄槽３５の左右内側面に一対の棚状の保持部４１を設けただけの簡素な構造で、食器カゴ４２，４３を互いに独立して出し入れできるという長所がある。また、洗浄槽３５の天井面や内側面などには支持レールなどの突起物が存在しないので、食器カゴ４２，４３の出し入れの際に、積載された食器類が支持レースなどに接触することがない。さらに、洗浄槽３５は簡素な構造であるため、製造が容易であり、製造コストの削減を図ることもできる。その他の機能、効果については食器洗い機１と同様である。
【００３７】
【発明の効果】
本発明により、以下の効果を奏する。
【００３８】
（１）ドア付きの正面開口部を経由して食器カゴを出し入れ可能に収容する洗浄槽を備えた食器洗い機において、洗浄槽内の上段部分に、互いに独立して出し入れ可能な複数の食器カゴを略水平方向に分散配置したことにより、いずれかの食器カゴを取り出すことで洗浄槽内に天地方向に連続した空間を形成可能となるため、まな板、お玉、菜箸などの比較的長尺の調理器具などを起立状態のまま容易に出し入れおよび収容することができ、洗浄不良も生じない。
【００３９】
（２）前記食器カゴを洗浄槽の奥行き方向に移動可能に保持するための複数の保持手段を洗浄槽の内側面、天井面の少なくとも一方に設ければ、食器カゴの幅に左右されることなく食器カゴを安定保持することができるようになり、出し入れ性も向上する。
【００４０】
（３）前記正面開口部を起立倒伏動作によって開閉するドアを設け、このドアを開いて洗浄槽の正面開口部から食器カゴを引き出したとき、倒伏状態にあるドアと当接して食器カゴの下降を阻止するための姿勢保持部材を食器カゴに設けることにより、食器カゴを洗浄槽から引き出す際の急激な下降を回避し、食器類の損傷を防止することができる。
【００４１】
（４）ドアを開いて洗浄槽から引き出した食器カゴを倒伏状態にあるドアに沿って一定方向へ誘導するためのガイド部材をドアに設けることにより、ドア上に載った食器カゴが予期せぬ方向へ移動することがなくなるため、洗浄槽に対する出し入れ操作性が向上し、食器類の損傷を防止することもできる。
【図面の簡単な説明】
【図１】本発明の第１実施形態である食器洗い機をドアなし状態で示す正面図である。
【図２】図１に示す食器洗い機の部分斜視図である。
【図３】図１に示す食器洗い機の一部切欠側面図である。
【図４】図３に示す食器洗い機を構成する上部ドアを示す斜視図である。
【図５】本発明の第２実施形態である食器洗い機をドアなし状態で示す部分斜視図である。
【図６】本発明の第３実施形態である食器洗い機をドアなし状態で示す部分斜視図である。
【図７】本発明の第４実施形態である食器洗い機をドアなし状態で示す部分正面図である。
【図８】図７におけるＡ−Ａ線断面図である。
【符号の説明】
１，２０，３０，４０  食器洗い機
２，２５，３５，４５  洗浄槽
３  正面開口部
４，５，６，２１，２２，３１，４２，４３  食器カゴ
７，８，９，１０，２３，２４，３２，４１  支持部
１１，３３  支持レール
１２  まな板
１３  下部ドア
１４  上部ドア
１４ａ  内面
１５  姿勢保持部材
１５ａ  底面
４４  枠体
Ｄ  奥行き方向
【図１】
2004290597.tif 000003
【図２】
2004290597.tif 000004
【図３】
2004290597.tif 000005
【図４】
2004290597.tif 000006
【図５】
2004290597.tif 000007
【図６】
2004290597.tif 000008
【図７】
2004290597.tif 000009
【図８】
2004290597.tif 000010